(57)【特許請求の範囲】
【請求項１】
ネットワークを介して情報を受信する受信手段と、
この受信手段によって受信された前記情報を視覚的に表示するための複数の表示手段と、
あらかじめ決められた識別コードを記憶する識別コード記憶手段と、
前記受信手段によって受信された前記情報の中にこの識別コード記憶手段に記憶された前記識別コードが含まれるか否かを検出する第１の識別コード検出手段と、
この第１の識別コード検出手段の検出結果に基づいて前記情報の中からあらかじめ別個の情報にリンクされたアドレスデータを抽出するアドレスデータ抽出手段と、
このアドレスデータ抽出手段によって抽出されたアドレスデータに対応したアイコンを前記表示手段に表示させるアイコン表示制御手段と、
前記表示手段に表示されたアイコンの選択を受け付ける選択受付手段と、
この選択受付手段によって前記アイコンの選択が受け付けられたとき前記アイコンに対応したアドレスデータにリンクされた前記別個の情報を取得する情報取得手段と、
この情報取得手段によって取得された前記情報の中に前記識別コード記憶手段に記憶された前記識別コードが含まれるか否かを検出する第２の識別コード検出手段と、
この第２の識別コード検出手段の検出結果に基づいて前記複数の表示手段のうちいずれかに前記取得された情報を表示させる表示制御手段
とを具備することを特徴とする携帯情報端末装置。
【請求項２】
ネットワークを介して情報を受信する受信手段と、この受信手段によって受信された前記情報を視覚的に表示するための複数の表示手段と、あらかじめ決められた識別コードを記憶する識別コード記憶手段と、前記受信手段によって受信された前記情報の中にこの識別コード記憶手段に記憶された前記識別コードが含まれるか否かを検出する識別コード検出手段と、この識別コード検出手段の検出結果に基づいて前記情報の中からあらかじめ別個の情報にリンクされたアドレスデータを抽出するアドレスデータ抽出手段と、このアドレスデータ抽出手段によって抽出されたアドレスデータに対応したアイコンを前記複数の表示手段のうちのあらかじめ指定した表示手段に表示させるアイコン表示制御手段と、このあらかじめ指定した表示手段に表示されたアイコンの選択を受け付ける選択受付手段と、この選択受付手段によって前記アイコンの選択が受け付けられたとき前記アイコンに対応したアドレスデータにリンクされた前記別個の情報の取得要求を送信する取得要求送信手段と、この取得要求送信手段で送信した前記取得要求に対応して前記アドレスデータにリンクされた前記別個の情報を受信する情報受信手段とを備える携帯情報端末装置と、
あらかじめ送信すべき情報を格納する情報格納手段と、前記取得要求送信手段によって送信された取得要求を受信する取得要求受信手段と、この取得要求受信手段で受信された取得要求で要求された情報を前記情報格納手段から取り出し前記ネットワークを介して前記携帯情報端末装置に対して送信する情報送信手段とを備えるサーバとを具備することを特徴とする情報通信システム。
【請求項３】
ネットワークを介して情報を受信する受信手段と、この受信手段によって受信された前記情報を視覚的に表示するための複数の表示手段と、あらかじめ決められた識別コードを記憶する識別コード記憶手段と、前記受信手段によって受信された前記情報の中にこの識別コード記憶手段に記憶された前記識別コードが含まれるか否かを検出する第１の識別コード検出手段と、この第１の識別コード検出手段の検出結果に基づいて前記情報の中からあらかじめ別個の情報にリンクされたアドレスデータを抽出するアドレスデータ抽出手段と、このアドレスデータ抽出手段によって抽出されたアドレスデータに対応したアイコンを前記表示手段に表示させるアイコン表示制御手段と、前記表示手段に表示されたアイコンの選択を受け付ける選択受付手段と、この選択受付手段によって前記アイコンの選択が受け付けられたとき前記アイコンに対応したアドレスデータにリンクされた前記別個の情報の取得要求を送信する取得要求送信手段と、この取得要求送信手段で送信した前記取得要求に対応して前記アドレスデータにリンクされた前記別個の情報を受信する情報受信手段と、この情報受信手段によって受信された前記情報の中に前記識別コード記憶手段に記憶された前記識別コードが含まれるか否かを検出する第２の識別コード検出手段と、この第２の識別コード検出手段の検出結果に基づいて前記複数の表示手段のうちいずれかに前記取得された情報を表示させる表示制御手段とを備える携帯情報端末装置と、
あらかじめ送信すべき情報を格納する情報格納手段と、前記取得要求送信手段によって送信された取得要求を受信する取得要求受信手段と、この取得要求受信手段で受信された取得要求で要求された情報を前記情報格納手段から取り出し前記ネットワークを介して前記携帯情報端末装置に対して送信する情報送信手段とを備えるサーバ
とを具備することを特徴とする情報通信システム。
【発明の詳細な説明】
【０００１】
【発明の属する技術分野】
本発明は、情報通信システムおよび携帯情報端末装置に係わり、詳細には文字、画像等の情報を受信して表示する携帯情報端末装置とこの情報を通信する情報通信システムとに関する。
【０００２】
【従来の技術】
近年の集積化技術、実装化技術および通信技術といった各種技術の進歩にともない、無線通信が可能な携帯情報端末装置を用いて、電子メールの送受や、文字、画像等の各種データ形式の情報からなるコンテンツデータの閲覧が可能となった。特に、携帯電話機が携帯情報端末装置として、従来の音声通話のみならず、コンピュータネットワークが相互に接続されたインターネット上の各種サーバから上述した各種情報によって構成されるコンテンツデータを取得できるようになり、このような携帯情報端末装置を用いた情報通信システムが急速に普及している。そして最近では、情報通信システムにより提供されるサービスはますます高度化し、提供されるコンテンツデータを構成する文字や画像等の情報をカラー表示や動画とする等、非常に高い情報性を備えるに至っている。
【０００３】
このような情報性の高いコンテンツデータに基づく情報を表示する携帯情報端末装置は、これまで表示画面が１つであり、さらに装置の小型軽量化、低消費電力化のため表示画面を大きくできなかった。したがって、例えば画像情報が混入した文字を表示画面に表示させる場合、文字と画像が同一表示画面上に収まりきらなかった。このため、文字と画像を見比べるために表示をスクロールする必要があり、面倒な操作に加えて情報の把握自体も困難になっていた。また、表示画面上に表示された文字によって構成される文章中で、ある特定の画面あるいは文章のみを常に表示させておきながら、さらに文章を読み進めるといったことができなかった。
【０００４】
そこで、携帯情報端末装置が上述した情報性の高いコンテンツデータを取得する一方、その取得した情報を利用者が容易に把握できるようにするための技術が種々提案されている。
【０００５】
例えば、特開平１０−２００９６０号公報「携帯情報端末装置」には、携帯情報端末装置に複数の表示画面を備え、受信した情報の種類に対応して表示画面上に表示させるようにした技術が開示されている。
【０００６】
図１１は、この従来提案された特開平１０−２００９６０号公報「携帯情報端末装置」に開示された携帯情報端末装置の構成の概要を表わしたものである。この携帯情報端末装置は、文字およびグラフィックスを表示するための第１表示部１０と、自然画像等の画像を表示するための第２表示部１１とを備え、それぞれ文字・グラフィックス表示制御部１２と画像表示制御部１３とによって表示データが生成される。第１および第２表示部１０、１１に表示させるための情報は、通信制御部１４を介して、図示しない通信網から受信される。この携帯情報端末装置は、制御部１５を備え、文字・グラフィックス表示制御部１２、画像表示制御部１３および通信制御部１４の制御を司る。
【０００７】
このような構成の携帯情報端末装置では、制御部１５からの制御にしたがって、通信制御部１４で受信された受信データから、文字、グラフィックスデータと、画像データを分離する。分離された文字、グラフィックスデータは、文字・グラフィックスデータ表示制御部１２により、文字、グラフィックスを第１表示部１０に表示させるための表示データが生成され、第１表示部１０に供給される。また、通信制御部１４で分離された画像データは、画像表示制御部１３で復号化され第２表示部１１に表示させるための表示データが生成され、第２表示部１１に供給される。ここで、第１表示部１０を高解像度であるが表示色を限定した例えばモノクロ表示画面にし、第２表示部１１を高解像度ではないが多くの表示色を表示できるカラー表示画面にすることで、必要とする表示制御回路の最適化を図るとともに利用者にとって各表示情報を把握しやすい携帯情報端末装置を提供する。
【０００８】
この他、上述した情報性の高いコンテンツデータを取得して利用者に容易に把握させる携帯情報端末装置に関する技術として、例えば特開平８−２１３９６１号公報「情報提供システムおよびそれに用いる携帯端末装置」には、一旦情報の概要を受信した後、利用者の指示等によりその詳細を受信するようにした技術が開示されている。例えば一旦配信された情報の概要や見出しといったタイトルのみを表示し、利用者等の指示によってこのタイトルの詳細情報の取得を要求したときにはじめて、その詳細情報を取得する。これにより、利用者にとって必要な情報のみを取得させ、必要とする情報のみを表示させることができるので、不要な情報の表示を排除して情報の把握を容易にすることができる。
【０００９】
【発明が解決しようとする課題】
しかしながら特開平１０−２００９６０号公報に開示された技術を適用した携帯情報端末装置は、複数備えられた表示部のうち、受信情報の種類に応じてあらかじめ決められた表示部に表示させるため、取得したコンテンツデータによっては一方の表示部のみ表示が行われる場合がある。したがって、小型化が要求される携帯情報端末装置内の限られたスペースに設けられた他方の表示部はまったく使用されず、端末装置のリソースを有効に活用できないばかりか、利用者にとっては従来の端末装置の表示部の表示情報よりも却って情報の把握が困難になるという場合もあり得る。
【００１０】
また、特開平８−２１３９６１号公報に開示された技術を適用した携帯情報端末装置は、必要な情報のみを取得することができるものの、取得した情報自体に画像情報が混入した文字からなるコンテンツデータである場合には、結局利用者の把握が困難であることには変わりはない。
【００１１】
そこで本発明の目的は、情報性の高い取得情報の種類にかかわらず複数画面のいずれか一方に自由に表示することができる携帯情報端末装置および情報通信システムを提供することにある。
【００１２】
さらに本発明の他の目的は、利用者にとって必要な情報のみを取得するとともにその情報の把握を容易にする携帯情報端末装置および情報通信システムを提供することにある。
【００１３】
【課題を解決するための手段】
請求項１記載の発明では、（イ）ネットワークを介して情報を受信する受信手段と、（ロ）この受信手段によって受信された情報を視覚的に表示するための複数の表示手段と、（ハ）あらかじめ決められた識別コードを記憶する識別コード記憶手段と、（ニ）受信手段によって受信された情報の中にこの識別コード記憶手段に記憶された識別コードが含まれるか否かを検出する第１の識別コード検出手段と、（ホ）この第１の識別コード検出手段の検出結果に基づいて情報の中からあらかじめ別個の情報にリンクされたアドレスデータを抽出するアドレスデータ抽出手段と、（へ）このアドレスデータ抽出手段によって抽出されたアドレスデータに対応したアイコンを表示手段に表示させるアイコン表示制御手段と、（ト）表示手段に表示されたアイコンの選択を受け付ける選択受付手段と、（チ）この選択受付手段によってアイコンの選択が受け付けられたときアイコンに対応したアドレスデータにリンクされた別個の情報を取得する情報取得手段と、（リ）この情報取得手段によって取得された情報の中に識別コード記憶手段に記憶された識別コードが含まれるか否かを検出する第２の識別コード検出手段と、（ヌ）この第２の識別コード検出手段の検出結果に基づいて複数の表示手段のうちいずれかに取得された情報を表示させる表示制御手段とを携帯情報端末装置に具備させる。
【００２２】
すなわち請求項１記載の発明では、ネットワークを介して受信した情報を視覚的に表示するための表示手段を備えた携帯情報端末装置に、あらかじめ決められた識別コードを記憶させ、受信手段によりネットワークを介して受信された情報にこの識別コードが含まれるか否かを検出する。そして、この検出結果に基づいて、受信情報の中からあらかじめ別個の情報にリンクされたアドレスデータを抽出し、表示手段にアドレスデータに対応したアイコンを表示させる。さらに、選択受付手段でアイコンの選択を受け付けさせ、これが受け付けられたとき、アイコンに対応したアドレスデータにリンクされた別個の情報を取得させるようにした。更に請求項１記載の発明では、複数の表示手段が存在しており、アドレスデータにリンクされた別個の情報を取得したとき、この取得した情報の中に識別コード記憶手段に記憶された識別コードが含まれるか否かを検出し、この検出結果に基づいて複数の表示手段のうちいずれかに取得した情報を表示させるようにした。
【００２９】
請求項２記載の発明では、（イ）ネットワークを介して情報を受信する受信手段と、この受信手段によって受信された情報を視覚的に表示するための複数の表示手段と、あらかじめ決められた識別コードを記憶する識別コード記憶手段と、受信手段によって受信された情報の中にこの識別コード記憶手段に記憶された識別コードが含まれるか否かを検出する識別コード検出手段と、この識別コード検出手段の検出結果に基づいて情報の中からあらかじめ別個の情報にリンクされたアドレスデータを抽出するアドレスデータ抽出手段と、このアドレスデータ抽出手段によって抽出されたアドレスデータに対応したアイコンを前記した複数の表示手段のうちのあらかじめ指定した表示手段に表示させるアイコン表示制御手段と、このあらかじめ指定した表示手段に表示されたアイコンの選択を受け付ける選択受付手段と、この選択受付手段によってアイコンの選択が受け付けられたときアイコンに対応したアドレスデータにリンクされた別個の情報の取得要求を送信する取得要求送信手段と、この取得要求送信手段で送信した取得要求に対応してアドレスデータにリンクされた別個の情報を受信する情報受信手段とを備える携帯情報端末装置と、（ロ）あらかじめ送信すべき情報を格納する情報格納手段と、取得要求送信手段によって送信された取得要求を受信する取得要求受信手段と、この取得要求受信手段で受信された取得要求で要求された情報を情報格納手段から取り出しネットワークを介して携帯情報端末装置に対して送信する情報送信手段とを備えるサーバとを情報通信システムに具備させる。
【００３０】
すなわち請求項２記載の発明では、ネットワークを介して受信した情報を視覚的に表示するための複数の表示手段を備えた携帯情報端末装置に、ネットワークを介して、あらかじめ送信すべき情報を格納し、受信した取得要求で要求された情報を取り出し携帯情報端末装置に対して送信するサーバが接続されるように情報通信システムを構成するようにした。
【００３１】
請求項３記載の発明では、（イ）ネットワークを介して情報を受信する受信手段と、この受信手段によって受信された情報を視覚的に表示するための複数の表示手段と、あらかじめ決められた識別コードを記憶する識別コード記憶手段と、受信手段によって受信された情報の中にこの識別コード記憶手段に記憶された識別コードが含まれるか否かを検出する第１の識別コード検出手段と、この第１の識別コード検出手段の検出結果に基づいて情報の中からあらかじめ別個の情報にリンクされたアドレスデータを抽出するアドレスデータ抽出手段と、このアドレスデータ抽出手段によって抽出されたアドレスデータに対応したアイコンを表示手段に表示させるアイコン表示制御手段と、表示手段に表示されたアイコンの選択を受け付ける選択受付手段と、この選択受付手段によってアイコンの選択が受け付けられたときアイコンに対応したアドレスデータにリンクされた別個の情報の取得要求を送信する取得要求送信手段と、この取得要求送信手段で送信した取得要求に対応してアドレスデータにリンクされた別個の情報を受信する情報受信手段と、この情報受信手段によって受信された情報の中に識別コード記憶手段に記憶された識別コードが含まれるか否かを検出する第２の識別コード検出手段と、この第２の識別コード検出手段の検出結果に基づいて複数の表示手段のうちいずれかに取得された情報を表示させる表示制御手段とを備える携帯情報端末装置と、（ロ）あらかじめ送信すべき情報を格納する情報格納手段と、取得要求送信手段によって送信された取得要求を受信する取得要求受信手段と、この取得要求受信手段で受信された取得要求で要求された情報を情報格納手段から取り出しネットワークを介して携帯情報端末装置に対して送信する情報送信手段とを備えるサーバとを情報通信システムに具備させる。
【００３２】
すなわち請求項３記載の発明では、請求項１記載の携帯情報端末装置に、ネットワークを介して、あらかじめ送信すべき情報を格納し、受信した取得要求で要求された情報を取り出し携帯情報端末装置に対して送信するサーバが接続されるように情報通信システムを構成するようにした。
【００３３】
【発明の実施の形態】
【００３４】
【実施例】
以下実施例につき本発明を詳細に説明する。
【００３５】
第１の実施例
【００３６】
図１は、本発明の第１の実施例における携帯情報端末装置が適用される情報通信システムの構成の概要を表わしたものである。第１の実施例における携帯情報端末装置２０は、ネットワーク２１を介してコンテンツサーバ２２と接続されている。携帯情報端末装置２０は、複数の表示画面を備え、ネットワーク２１を介して受信したデータをこれら表示画面に表示できるようになっている。ネットワーク２１は、有線、無線を問わず、一般公衆網、総合サービスディジタル網（Integrated Services Digital Network：ＩＳＤＮ）や携帯電話網等であり、携帯情報端末装置２０はその通信形態に応じて、コンテンツサーバ２２との間でデータの送受信を行う。コンテンツサーバ２２は、ネットワーク２１内で一意に識別可能なアドレスが付与されており、文字、画像等の各種データ形式の情報からなるコンテンツデータが格納されている。
【００３７】
このような情報通信システムでは、コンテンツサーバ２２が携帯情報端末装置２０の表示先を切り換えるためのあらかじめ決められた識別コードが付加されたコンテンツデータを、ネットワーク２１経由で送信し、これを受信した携帯情報端末装置２０が受信したデータから識別コードを判別し、その判別結果に応じて複数備えられた表示画面の中から受信したデータの表示先を切り換えることができるようになっている。
【００３８】
図２は、このような表示先を切り換える第１の実施例における携帯情報端末装置の構成の概要を表わしたものである。第１の実施例における携帯情報端末装置２０は、第１および第２表示部３０、３１と、ネットワーク２１を介してコンテンツサーバ２２との間でデータの送受信を行うためのアンテナ３２と、アンテナ３２によって受信された受信データを復調またはアンテナ３２から送信する送信データを変調する無線部３３とを備えている。さらにこの携帯情報端末装置２０は、キースイッチによる数字や文字入力、第１および第２表示部３０、３１の表示情報を選択するためのカーソルの移動とその決定を行うための入力部３４と、無線部３３で復調された受信データや携帯情報端末装置２０の各種動作の制御に必要な情報や上述した識別コードを記憶するメモリ部３５と、無線部３３で復調された受信データに含まれる識別コードとメモリ部３５にあらかじめ記憶された識別コードとを照合する照合部３６と、これら第１および第２表示部３０、３１、無線部３３、入力部３４、メモリ部３５、照合部３６の制御を司る制御部３７とを有している。
【００３９】
図３は、第１の実施例における携帯情報端末装置がネットワークを介して受信するコンテンツデータの構成の一例を表わしたものである。携帯情報端末装置２０は、アンテナ３２により、コンテンツサーバ２２によって送信された受信信号をネットワーク２１経由で所定の受信単位で受信し、無線部３３で復調して図３に示したコンテンツデータ４０に組み立てる。このコンテンツデータ４０は、第１表示部３０に表示させるための表示データである第１表示部用データと、第２表示部３１に表示させるための表示データである第２表示部用データとが混在しており、第２表示部用データは先頭と末尾にそれぞれあらかじめ決められた接頭コード（以下、ＴＯＰと略す。）と接尾コード（以下、ＢＯＴと略す。）が付加される。ＴＯＰおよびＢＯＴは、メモリ部３５に記憶されている。図３に示したコンテンツデータ４０では、第１表示部用データ４１、４２は、第１表示部３０で表示されるデータであることを示し、先頭にＴＯＰ４３と末尾にＢＯＴ４４が付加されたデータ列である第２表示部用データ４５は第２表示部３１で表示されるデータであることを示す。
【００４０】
第１の実施例における携帯情報端末装置２０は、制御部３７により、このようなコンテンツデータに付加された識別コードを判別しその表示先を切り換える。制御部３７は、図示しない中央処理装置（Central Processing Unit：ＣＰＵ）を有しており、メモリ部３５に記憶されたプログラムにしたがって各種制御を実行することができるようになっている。
【００４１】
図４は、第１の実施例における制御部による受信データの表示処理内容の概要を表わしたものである。制御部３７は、上述したＴＯＰが検出されこれに対応するＢＯＴが未検出であるとき“１”となるフラグＡを用いる。フラグＡは、ＴＯＰが検出状態であることを示す。この制御部３７は、ネットワーク２１を介してコンテンツサーバ２２からコンテンツデータを取得するのに先立って、まずこのフラグＡを“０”に初期化する（ステップＳ５０）。ここで、強制的な表示処理中止指示等の終了指示による一連の受信データの表示処理を終了しない限り（ステップＳ５６：Ｎ）、アンテナ３２から発信し、コンテンツサーバ２２にアクセスして、入力部３４によって指定された所望のコンテンツデータを所定の受信単位で受信する。さらに、無線部３３で受信信号を復調して、図３に示したような構成のデータを取得する。制御部３７は、このデータが、所定単位の取得データになったか否かを監視しており（ステップＳ５１：Ｎ）、これを検出したとき（ステップＳ５１：Ｙ）、照合部３６でメモリ部３５にあらかじめ記憶された識別コードとしてのＴＯＰおよびＢＯＴを読み出して、所定単位の取得データの先頭から識別コードとの照合を開始する（ステップＳ５２）。
【００４２】
まず取得データの先頭から、接尾コードであるＢＯＴと一致するか否かを検出し（ステップＳ５３）、これを検出したとき（ステップＳ５３：Ｙ）、ステップＳ５０に戻ってフラグＡを“０”に初期化する。
【００４３】
一方、ステップＳ５３で取得データが、接尾コードであるＢＯＴと一致しないと検出されたとき（ステップＳ５３：Ｎ）、フラグＡが“１”であるか否かを判別する（ステップＳ５４）。
【００４４】
フラグＡが“１”であると判別されたとき（ステップＳ５４：Ｙ）、既に接頭コードが検出されていることから、この接頭コードに続く第２表示部用データである取得データを第２表示部３１に出力する（ステップＳ５５）。続いて、ステップＳ５６に戻って強制的な表示処理中止指示等の終了指示による表示処理の終了をチェックし（ステップＳ５６）、処理を終了しないとき（ステップＳ５６：Ｎ）、再び受信したデータが所定単位の取得データになったか否かを監視する。
【００４５】
ステップＳ５４で、フラグＡが“１”ではないと判別されたとき（ステップＳ５４：Ｎ）、取得したデータの先頭から接頭コードであるＴＯＰと一致するか否かを検出し（ステップＳ５７）、これを検出したとき（ステップＳ５７：Ｙ）、フラグＡを“１”にセットする（ステップＳ５８）。すなわち、これ以降の接頭コードに続く第２表示部用データである取得データを、第２表示部３１に表示させることになる。ステップＳ５８でフラグＡに“１”がセットされると、続いて、ステップＳ５６に戻って強制的な表示処理中止指示等の終了指示による表示処理の終了をチェックし（ステップＳ５６）、処理を終了しないとき（ステップＳ５６：Ｎ）、再び受信したデータが所定単位の取得データになったか否かを監視する。
【００４６】
ステップＳ５７で、取得したデータが接頭コードであるＴＯＰと一致しないと検出されたとき（ステップＳ５７：Ｎ）、取得したデータを第１表示部３０に出力する（ステップＳ５９）。続いて、ステップＳ５６に戻って強制的な表示処理中止指示等の終了指示による表示処理の終了をチェックし（ステップＳ５６）、処理を終了しないとき（ステップＳ５６：Ｎ）、再び受信したデータが所定単位の取得データになったか否かを監視する。
【００４７】
以下、図４に示した第１の実施例における携帯情報端末装置２０の制御部３７による第１および第２表示部３０、３１に対する表示処理について、具体的に説明する。ここでは、図３に示したコンテンツデータを取得したものとする。
【００４８】
第１の実施例における携帯情報端末装置２０は、まずフラグＡを初期化し（図４のステップＳ５０）、ネットワーク２１を介してコンテンツサーバ２２から取得要求したコンテンツデータを所定の受信単位で受信する。この受信したデータが無線部３３で復調され、所定単位の取得データとして組み立てられると、制御部３７は、照合部３６により、メモリ部３５にあらかじめ記憶されたＢＯＴと照合させる（図４のステップＳ５３）。この場合、取得データに識別コードは付加されず通常の受信データであることから、続いてフラグＡの判別を行う（図４のステップＳ５４）。フラグＡは初期化されているため、さらにメモリ部３５にあらかじめ記憶されたＴＯＰと照合させる（図４のステップＳ５７）。この場合、接頭コードも付加されず通常の受信データであるため、所定単位に分割された第１表示部用データ４１を構成する取得データを第１表示部３０に出力して第１表示部３０に表示させる（図４のステップＳ５９）。このようにして図３に示した第１表示部用データ４１は、第１表示部３０に表示される。その後、図４のステップＳ５６に戻って、強制終了のチェック後、次の所定単位の取得データが組み立てられるのを監視する。以下、２番目の取得データ、３番目の取得データ、…に対して、同様に繰り返す。
【００４９】
接尾コードであるＢＯＴが検出されず、フラグＡが“０”と判別され（図４のステップＳ５３、ステップＳ５４）、やがて図３に示す取得データの接頭コードであるＴＯＰ４３が、メモリ部３５に記憶された接頭コードであるＴＯＰと一致したと検出されると、フラグＡを“１”にセットし（図４のステップＳ５８）、再び次の所定単位の取得データが組み立てられるのを監視する。そして、次の取得データに対して、接尾コードであるＢＯＴの検出を行う（図４のステップＳ５３）。ここで、ＢＯＴが検出されないときは、通常の受信データであるとして、フラグＡが“１”であることから、所定単位に分割された第２表示部用データ４５を構成する取得データを第２表示部３１に出力して第２表示部３１に表示させる（図４のステップＳ５５）。その後、同様に次の取得データに対して、繰り返す。これにより、図３に示す第２表示部用データ４５は、第２表示部３１に表示される。
【００５０】
やがて図３に示す取得データに付加された接尾コードであるＢＯＴ４４が、メモリ部３５に記憶された接尾コードであるＢＯＴと一致したと検出されると（図４のステップＳ５３）、フラグＡを初期化して、次の所定単位の取得データが組み立てられるのを監視する。その後、接尾コードが検出されないとき、フラグＡは初期化されていることから、接頭コードが検出されるまで、取得データは通常の受信データとして第１表示部３０に表示される。これにより、図３に示す第１表示部用データ４２は、第１表示部３０に表示される。
【００５１】
このように第１の実施例における情報通信システムの携帯情報端末装置は、第１表示部３０に表示させる表示データに、先頭と末尾があらかじめ決められた識別コードが付加された第２表示部３１に表示させる表示データを挿入したコンテンツデータをコンテンツサーバ２２から受信し、この識別コードを判別してその表示先を切り換えるようにした。これにより、文字と画像とが混在した情報性の高いコンテンツデータを受信した場合であっても、これら情報ごとに分離し、それぞれの表示部に表示させることができるので、利用者は文章と画像を見比べながら表示情報を把握しやすくなるとともに、逐一画面をスクロールする煩わしさを解消することができる。さらに、受信情報の種類にかかわらず、コンテンツ提供側あるいは利用者で表示させる画面を選択できるようになり、端末装置のリソースの有効活用を図ることができる。さらにまた、コンテンツ提供側にとっても、第１および第２表示部を用いて効果的な表示を行うことができ、他のコンテンツとの差異を図ることができるようになる。
【００５２】
第２の実施例
【００５３】
第１の実施例では、第１表示部に表示させる表示データに先頭と末尾があらかじめ決められた識別コードが付加された第２表示部に表示させる表示データそのものを挿入していた。これに対し、第２の実施例では第２表示部に表示させる表示データに代えて新たに定義した識別コードが付加されたアドレスデータを挿入させるようにしている。
【００５４】
第２の実施例における携帯情報端末装置の構成は、第１の実施例と同様であるので、図示および説明を省略する。
【００５５】
図５は、第２の実施例における携帯情報端末装置がネットワークを介して受信するコンテンツデータの構成の一例を表わしたものである。第２の実施例における携帯情報端末装置は、アンテナによりネットワークを介して所定の受信単位でデータを受信し、無線部で復調して図５に示したコンテンツデータ６０に組み立てる。このコンテンツデータ６０は、第１表示部に表示させるための表示データと、第２表示部に表示させるための表示データとが混在している。第２表示部用データは先頭と末尾にそれぞれあらかじめ決められた接頭コードであるＴＯＰと接尾コードであるＢＯＴが付加される。さらに第２の実施例におけるコンテンツデータ６０は、アドレスデータ用接頭コード（以下、ＴＯＰ−Ａと略す。）とＢＯＴとで挟まれるデータ列としてアドレスデータが挿入される。この第２表示部用データを挿入するための接頭コードＴＯＰおよび接尾コードＢＯＴと、アドレスデータ用接頭コードＴＯＰ−Ａは、メモリ部に記憶される。
【００５６】
さらにこのアドレスデータは、あらかじめメモリ部によって記憶されたアイコンデータと対応付けられている。このアイコンデータは、表示部に表示させるための画像データである。第２の実施例における携帯情報端末装置は、このアドレスデータを受信すると、これに対応したアイコンを指定された表示部に表示する。そして、表示部に表示させたアイコンを利用者に選択させることによって、このアイコンデータと本来対応付けられている受信したアドレスデータそのものを用いてサーバに対してコンテンツデータの取得を要求する。
【００５７】
第２の実施例における携帯情報端末装置が受信する図５に示したコンテンツデータ６０は、データ６１、６２は第１表示部で表示され、先頭にＴＯＰ−Ａ６３と末尾にＢＯＴ６４が付加されたデータはアドレスデータ６５であり、先頭にＴＯＰ６６と末尾にＢＯＴ６７が付加されたデータ列であるデータ６８は第２表示部に表示されることを示す。
【００５８】
図６は、第２の実施例におけるメモリ部に記憶されたアドレスデータとアイコンデータとが対応付けられたアイコン情報の構成の概要を表わしたものである。すなわち、アイコン情報７０は、あらかじめアドレスデータ７１ごとに、表示部に表示させるため画像データとしてのアイコンデータ７２が記憶されている。第２の実施例における携帯情報端末装置は、図５に示したようなＴＯＰ−ＡとＢＯＴで挟まれたアドレスデータを受信すると、このアドレスデータに対応して図６に示したアドレス情報に記憶されているアイコンデータを読み出し、指定された表示部に表示する。
【００５９】
このようにして表示部に表示されたアイコンデータは、利用者によって、入力部からの指示により選択されると、第２の実施例における携帯情報端末装置は、本来このアイコンデータと対応付けられる受信したアドレスデータそのものを用い、これによって特定されるネットワーク上のサーバにアクセスする。そして、アドレスデータによって指定されたコンテンツデータを取得する。
【００６０】
図７は、第２の実施例におけるアドレスデータによって指定されたコンテンツデータの構成の一例を表わしたものである。アドレスデータによって指定されたコンテンツデータ７５は、図５に示したコンテンツデータ６０と同様に、接頭コードおよび接尾コードとしてＴＯＰ７６、ＢＯＴ７７に挟まれた画像データ７８から構成されている。このようなコンテンツデータ７５は、これまで説明したように、制御部で判別され、画像データ７８に対応した画像が第２の表示部に表示される。ここでは、接頭コードおよび接尾コードのＴＯＰ７６、ＢＯＴ７７を付加しているが、これらが付加されず通常のデータとして受信した場合、第１表示部に表示される。また、データ７８は、画像データに限定されるものではなく、文字等のテキストデータであっても良い。
【００６１】
図８および図９は、このようなアドレスデータが付加されたコンテンツデータを表示させる第２の実施例における制御部による処理内容の概要を表わしたものである。第２の実施例における制御部は、第１の実施例と同様にフラグＡを用いるほか、上述したＴＯＰ−Ａが検出されこれに対応するＢＯＴが未検出であるとき“１”となるフラグＢを用いる。フラグＢは、ＴＯＰ−Ａが検出状態であることを示す。この制御部は、ネットワークを介してコンテンツサーバからコンテンツデータを取得するのに先立って、まずフラグＡおよびフラグＢを“０”に初期化する（ステップＳ８０）。ここで、強制的な表示処理中止指示等の終了指示による一連の受信データの表示処理を終了しない限り（ステップＳ９１：Ｎ）、アンテナから発信し、コンテンツサーバにアクセスして、入力部によって指定された所望のコンテンツデータを所定の受信単位で受信する。さらに、無線部で受信信号を復調して、図５に示したような構成のデータを取得する。制御部は、このデータが、所定単位の取得データになったか否かを監視しており、これを検出したとき（ステップＳ８１：Ｙ）、照合部でメモリ部にあらかじめ記憶された識別コードとしてのＴＯＰ、ＢＯＴおよびＴＯＰ−Ａを読み出して、所定単位の取得データの先頭から識別コードとの照合を開始する（ステップＳ８２）。
【００６２】
まず取得データの先頭から接尾コードであるＢＯＴと一致するか否かを検出し（ステップＳ８３）、これを検出したとき（ステップＳ８３：Ｙ）、フラグＢが“１”であるか否かを判別する（ステップＳ８５）。フラグＢが“１”であると判別されたとき（ステップＳ８５：Ｙ）、すなわちＴＯＰ−Ａが検出状態であると判別されたとき、アドレスデータの取得が完了したことになるので、図６に示したメモリ部に記憶されたアイコン情報から、取得が完了したアドレスデータに対応して記憶されたアイコンデータを読み出し、このアイコンデータに基づいてあらかじめ決められた表示部に表示する（ステップＳ８６）。例えば、ここでは第１表示部に表示するものとする。その後、ステップＳ８０に戻って、フラグＡとフラグＢを初期化する。
【００６３】
ステップＳ８５で、フラグＢが“１”ではないと判別されたとき（ステップＳ８５：Ｎ）、すなわちＴＯＰ−Ａが検出状態ではないとき、ＴＯＰに対応したＢＯＴが検出されたことになるので、そのままステップＳ８０に戻って、フラグＡとフラグＢを初期化する。
【００６４】
ステップＳ８３で、取得データに接尾コードであるＢＯＴと一致しないことが検出されたとき（ステップＳ８３：Ｎ）、フラグＡが“１”であるか、あるいはフラグＢが“１”であるか否かを判別する（ステップＳ８８）。フラグＡ、フラグＢがともに“０”であると判別されたとき（ステップＳ８８：Ｎ）、取得データの先頭から接頭コードであるＴＯＰと一致するか否かを検出する（ステップＳ８９）。取得データの先頭から接頭コードであるＴＯＰと一致しないと検出されたとき（ステップＳ８９：Ｎ）、取得データをそのまま第１表示部に出力し、第１表示部に表示させる（ステップＳ９０）。続いて、ステップＳ９１に戻って強制的な表示処理中止指示等の終了指示による表示処理の終了をチェックし（ステップＳ９１）、処理を終了しないとき（ステップＳ９１：Ｎ）、再び受信したデータが所定単位の取得データになったか否かを監視する。
【００６５】
ステップＳ８９で、取得データの先頭から接頭コードであるＴＯＰと一致したと検出されたとき（ステップＳ８９：Ｙ）、第２表示用接頭コードであるＴＯＰであるか否かを判別する（ステップＳ９２）。第２表示用接頭コードであるＴＯＰであると判別されたとき（ステップＳ９２：Ｙ）、フラグＡを“１”にセットする（ステップＳ９３）。ステップＳ９２で、第２表示用接頭コードであるＴＯＰではないと判別されたとき（ステップＳ９２：Ｎ）、フラグＢを“１”にセットする（ステップＳ９４）。ステップＳ９３あるいはステップＳ９４でフラグＡあるいはフラグＢにセットが行われると、続いて、ステップＳ９１に戻って強制的な表示処理中止指示等の終了指示による表示処理の終了をチェックし（ステップＳ９１）、処理を終了しないとき（ステップＳ９１：Ｎ）、再び受信したデータが所定単位の取得データになったか否かを監視する。
【００６６】
ステップＳ８８で、フラグＡまたはフラグＢのうち少なくとも一方が“１”であると判別されたとき（ステップＳ８８：Ｙ）、フラグＡが“１”のとき（ステップＳ９５：Ｙ）、取得データを第２表示部に出力し、第２表示部に表示させる（ステップＳ９６）。一方、ステップＳ９５でフラグＡが“１”ではないとき（ステップＳ９５：Ｎ）、取得データはアドレスデータであることから、これをメモリ部に格納する（ステップＳ９７）。ステップＳ９６あるいはステップＳ９７に続いて、ステップＳ９１に戻って強制的な表示処理中止指示等の終了指示による表示処理の終了をチェックし（ステップＳ９１）、処理を終了しないとき（ステップＳ９１：Ｎ）、再び受信したデータが所定単位の取得データになったか否かを監視する。
【００６７】
第２の実施例における制御部は、さらにステップＳ８１で所定単位の取得データを取得していないとき（ステップＳ８１：Ｎ）、ステップＳ８６で表示部に表示されたアイコンを入力部を介して選択させる（ステップＳ９８）。ここで、入力部によるキー操作でステップＳ８６で表示部に表示されたアイコンが選択されたとき（ステップＳ９８：Ｙ）、リンクデータを送信して（ステップＳ９９）、アイコンデータに対応付けられたアドレスデータによって特定されるコンテンツサーバのコンテンツデータの取得要求を行う。ステップＳ９８でアイコンが選択されないとき（ステップＳ９８：Ｎ）、あるいはステップＳ９９によるリンクデータの送信後、ステップＳ９１に戻って、戻って強制的な表示処理中止指示等の終了指示による表示処理の終了をチェックし（ステップＳ９１）、処理を終了しないとき（ステップＳ９１：Ｎ）、再び受信したデータが所定単位の取得データになったか否かを監視する。
【００６８】
以下、図８および図９に示した第２の実施例における携帯情報端末装置の制御部による第１および第２表示部に対する表示処理について、具体的に説明する。ここでは、図５に示したコンテンツデータを取得したものとする。
【００６９】
第２の実施例における携帯情報端末装置は、まずフラグＡおよびフラグＢを初期化し（図８のステップＳ８０）、ネットワークを介してコンテンツサーバから、取得要求したコンテンツデータを所定の受信単位で受信する。この受信したデータが無線部で復調され、所定単位の取得データとして組み立てられると、制御部は、照合部により、メモリ部にあらかじめ記憶されたＢＯＴと照合させる（図８のステップＳ８２）。この場合、取得データに識別コードは付加されず通常の受信データであることから、続いてフラグＡおよびフラグＢの判別を行う（図９のステップＳ８８）。フラグＡおよびフラグＢは初期化されているため、さらにメモリ部にあらかじめ記憶されたＴＯＰあるいはＴＯＰ−Ａと照合させる（図９のステップＳ８９）。この場合、接頭コードも、通常の受信データであるため、第１表示部に出力して取得データを第１表示部に表示させる（図９のステップＳ９０）。このようにして図５に示したデータ６１は、第１表示部に表示される。その後、図８のステップＳ９１に戻って、強制終了のチェック後、次の所定単位の取得データが組み立てられるのを監視する。以下、２番目の取得データ、３番目の取得データ、…に対して、同様に繰り返す。
【００７０】
接尾コードであるＢＯＴが検出されず、フラグＡおよびフラグＢが“０”と判別され（図８のステップＳ８３、図９のステップＳ８８）、やがて図５に示す取得データの先頭であるＴＯＰ−Ａ６３が、メモリ部に記憶された接頭コードであるＴＯＰあるいはＴＯＰ−Ａと一致したと検出されると、ＴＯＰ−Ａと一致したことによりフラグＢを“１”にセットする（図９のステップＳ９４）。その後、再び次の所定単位の取得データが組み立てられるのを監視する。
【００７１】
そして、次の取得データに対して、接尾コードであるＢＯＴの検出を行う（図８のステップＳ８３）。ここで、ＢＯＴが検出されないときは、通常の受信データであるとして、フラグＡが“０”なので、取得データはアドレスデータであると判断しこれをメモリ部に格納する（図９のステップＳ９７）。その後、同様に次の取得データに対して、繰り返す。これにより、図５に示すアドレスデータ６５がメモリ部に格納される。このアドレスデータ６５の格納は、ＢＯＴが検出されるまで行われ、これが検出されると、フラグＢは“１”にセットされているため、アドレスデータ６５に対応付けて図６に示したアイコン情報に記憶されたアイコンデータを読み出し、第１表示部にアドレスデータ６５に対応したアイコンを表示させる（図８のステップＳ８６）。その後、ステップＳ８０に戻って、フラグＡおよびフラグＢを初期化する。
【００７２】
その後、取得データのＴＯＰ６６がメモリ部に記憶された接頭コードであるＴＯＰと一致したと検出されると、フラグＡは“１”にセットされる（図９のステップＳ９３）。この場合は、第１の実施例と同様に第２表示部に表示させることになるので、説明を省略する。
【００７３】
第２の実施例における携帯情報端末装置では、さらに図８のステップＳ８６で表示部に表示させたアドレスデータに対応付けられたアイコンを入力部で選択させることによって、アドレスデータによって特定されるコンテンツサーバ上のコンテンツデータの取得要求を行い、これをネットワーク経由で受信し、その受信データに対応して、さらにいずれかの表示部に表示させることができるようになっている。
【００７４】
すなわち、図８のステップＳ８１で、データの取り込みが終了したとき等所定単位のデータ取得が行われないとき、入力部のキースイッチを操作して表示画面上のカーソルを表示部に表示されたアイコンの上まで移動させることでアイコンを選択すると（図８のステップＳ９８）、メモリ部における図６に示したアイコン情報に記憶されたアイコンとリンクされたアドレスデータが読み出され、無線部で変調された後、アンテナよりコンテンツサーバに対して送信される（図８のステップＳ９９）。
【００７５】
コンテンツサーバは、この受信したアドレスデータにしたがって、あらかじめ各種格納しているコンテンツデータの中から対応するコンテンツデータを取り出し、これをアドレスデータの送信元である第２の実施例における携帯情報端末装置に対して送信する。
【００７６】
この携帯情報端末装置は、再び所定単位のデータが取得されるたびに、識別コードを判別して、その識別結果に応じた表示部に表示させる。例えば、図７に示したようなコンテンツデータ７５が受信され、所定単位のデータが取得されると、接頭コードであるＴＯＰ７６を判別し、第２表示部に画像データ７８に対応した画像を表示させる。
【００７７】
図１０は、このような第２の実施例における情報通信システムにおける携帯情報端末装置の動作シーケンスの一例を表わしたものである。第２の実施例における携帯情報端末は、ネットワークを介してコンテンツサーバから所定の送信単位で送信されたコンテンツデータ１００を受信すると、所定単位の取得データに組み立てて、上述した識別コードの検出を行う。その結果、アドレスデータが検出されたとき（検出１０１）、アドレスデータに対応したアイコンを表示し、利用者からのアイコン選択を受け付ける。その後、利用者によってアイコンが選択されると（選択１０２）、メモリ部に記憶されたアイコン情報からアイコンデータに対応して記憶されたアドレスデータによって特定されるコンテンツサーバ上のコンテンツデータの取得要求１０３を送信する。
【００７８】
コンテンツサーバは、この受信したアドレスデータにしたがって、あらかじめ各種格納しているコンテンツデータの中から対応するコンテンツデータを取り出し、例えば図７に示した構成の画像データ１０４を携帯情報端末装置に対して送信する。
【００７９】
画像データ１０４を受信した携帯情報端末装置は、再び所定単位の取得データに組み立てて、上述した識別コードの検出を行う。その結果、接頭コードであるＴＯＰが検出されると（検出１０５）、取得した画像データを第２表示部に表示させる（表示１０６）。
【００８０】
このように第２の実施例における情報通信システムの携帯情報端末装置は、第１の実施例における携帯情報端末装置に対して、さらにアドレスデータ用接頭コードを設け、アドレスデータ用接頭コードと接尾コードとに挟まれたデータ列としてコンテンツサーバ上のデータを別個に取得するのに必要なアドレスデータを挿入させるようにした。そして、アドレスデータを取得した後は、表示部にあらかじめアドレスデータに対応付けられたアイコンを表示させ、利用者からの指示があったときにはじめてコンテンツサーバに対して取得要求を行うようにした。これにより、第１の実施例における携帯情報端末装置の効果に加えて、受信すべきデータ量の大幅削減を図るとともに、表示部に表示させる情報量を削減することができ、利用者にとって情報の把握を容易にする。さらにまた、必要な情報のみをアクセスでき、取得した情報を複数画面の中から選択的に表示させることができる。
【００８１】
なお第１および第２の実施例では、２つの識別コードに挟まれたデータ列を表示用データに挿入させるようにしていたが、これに限定されるものではない。ただ、２つの識別コードに挟まれたデータ列は、データ通信の際、効率的に帯域を使用することができる。例えば、挿入されたデータ列の先頭に、識別するためのコードとそれに後続して挿入されたデータ長とからなる識別コードのみを付加すれば、先頭のみを識別するだけでよい。また、挿入されたデータ列の先頭に識別するためのコードのみを付加し、あらかじめ決められたデータ長単位で表示先を切り換えるようにすれば、その識別処理の負担を軽減することができる。
【００８２】
なおまた第２の実施例では、ステップＳ８６でアイコンを第１表示部に表示させるようにしていたがこれに限定されるものではない。例えば、コンテンツデータの取得に先立って、利用者が複数備えられた表示部のうち１つを選択し、この選択した表示部にアイコンを表示させるようにしても良い。
【００８３】
なおさらに第２の実施例では、複数備えられた表示部のいずれかにアイコンを表示させるものとして説明したが、これに限定されるものではない。例えば、入力部のキースイッチのいずれかに割り当て、これを表示部で利用者に通知する一方、利用者がワンタッチでアイコンにリンクされたアドレスデータによって特定されるコンテンツサーバ上のコンテンツを取得することができるようにしても良い。
【００８４】
なおさらにまた第１および第２の実施例では、コンテンツデータの取得について説明したが、これに限定されるものではない。
【００８５】
【発明の効果】
以上説明したように請求項１または請求項３記載の発明によれば、受信すべきデータ量の大幅削減を図るとともに、表示部に表示させる情報量を削減することができ、利用者にとって情報の把握を容易にする。さらに、利用者にとって必要な情報のみを簡素な操作でアクセスすることができ、情報性の高い受信情報の把握をさらに容易化する。また、アドレスデータにリンクされた情報についても、識別コードを判別し、その判別結果に応じて複数の表示手段のうちいずれかに取得した情報を選択的に表示させることができ、利用者にとって情報の把握を一層容易にすることができる。
【００８７】
さらにまた請求項２記載の発明によれば、受信すべきデータ量の大幅削減を図るとともに、表示部に表示させる情報量を削減することができ、利用者にとって情報の把握を容易にする。さらに、利用者にとって必要な情報のみを簡素な操作でアクセスすることができ、情報性の高い受信情報の把握をさらに容易化する。
【図面の簡単な説明】
【図１】本発明の第１の実施例における携帯情報端末装置が適用される情報通信システムの構成の概要を示す構成図である。
【図２】第１の実施例における携帯情報端末装置の構成の概要を示すブロック図である。
【図３】第１の実施例における携帯情報端末装置がネットワークを介して受信するコンテンツデータの構成の一例を示す説明図である。
【図４】第１の実施例における制御部による受信データの表示処理内容の概要を示す流れ図である。
【図５】第２の実施例における携帯情報端末装置がネットワークを介して受信するコンテンツデータの構成の一例を示す説明図である。
【図６】第２の実施例におけるアイコン情報の構成の概要を示す説明図である。
【図７】第２の実施例におけるアドレスデータによって指定されたコンテンツデータの構成の一例を示す説明図である。
【図８】第２の実施例における制御部による処理内容の概要の前半部を示す流れ図である。
【図９】第２の実施例における制御部による処理内容の概要の後半部を示す流れ図である。
【図１０】第２の実施例における情報通信システムにおける携帯情報端末装置の動作シーケンスの一例を示すシーケンス図である。
【図１１】従来提案された特開平１０−２００９６０号公報に開示された携帯情報端末装置の構成の概要を示す構成図である。
【符号の説明】
２０  携帯情報端末装置
２１  ネットワーク
２２  コンテンツサーバ
３０  第１表示部
３１  第２表示部
３２  アンテナ
３３  無線部
３４  入力部
３５  メモリ部
３６  照合部
３７  制御部
【図１】
0003642251.tif 000002
【図２】
0003642251.tif 000003
【図３】
0003642251.tif 000004
【図４】
0003642251.tif 000005
【図５】
0003642251.tif 000006
【図６】
0003642251.tif 000007
【図７】
0003642251.tif 000008
【図８】
0003642251.tif 000009
【図９】
0003642251.tif 000010
【図１０】
0003642251.tif 000011
【図１１】
0003642251.tif 000012